(57)【要約】【課題】Ｘ線タルボ撮影を行う際の撮影条件を容易かつ迅速に設定することが可能なＸ線タルボ撮影装置を提供する。【解決手段】Ｘ線タルボ撮影装置１は、Ｘ線を照射するＸ線源１１と、複数の格子１２、１５、１６と、被写体Ｈと複数の格子１２、１５、１６を透過したＸ線を検出してモアレ画像を撮影するＸ線検出器１７と、Ｘ線源１１に対するＸ線タルボ撮影時の撮影条件を設定するコントローラー２０と、を備え、コントローラー２０は、Ｘ線タルボ撮影の対象である被写体Ｈに対して一般撮影が行われる際の一般撮影に関する情報に基づいて、Ｘ線源１１に対するＸ線タルボ撮影時の撮影条件を割り出して設定する。【選択図】図１
2016150173.tif 000002
【特許請求の範囲】
【請求項１】
Ｘ線を照射するＸ線源と、
複数の格子と、
被写体と前記複数の格子を透過したＸ線を検出してモアレ画像を撮影するＸ線検出器と、
前記Ｘ線源に対するＸ線タルボ撮影時の撮影条件を設定するコントローラーと、
を備え、
前記コントローラーは、Ｘ線タルボ撮影の対象である被写体に対して一般撮影が行われる際の一般撮影に関する情報に基づいて、前記Ｘ線源に対する前記Ｘ線タルボ撮影時の撮影条件を割り出して設定することを特徴とするＸ線タルボ撮影装置。
【請求項２】
前記コントローラーは、Ｘ線タルボ撮影の対象である被写体に対して行われた過去の一般撮影の際に設定された一般撮影時の撮影条件に基づいて、前記Ｘ線源に対する前記Ｘ線タルボ撮影時の撮影条件を割り出すことを特徴とする請求項１に記載のＸ線タルボ撮影装置。
【請求項３】
前記コントローラーは、前記一般撮影時の撮影条件と前記Ｘ線タルボ撮影時の撮影条件とを対応付けた対応表を有しており、前記対応表に基づいて、前記Ｘ線タルボ撮影の対象である被写体に対して行われた過去の一般撮影の際に設定された前記一般撮影時の撮影条件から前記Ｘ線タルボ撮影時の撮影条件を割り出すことを特徴とする請求項２に記載のＸ線タルボ撮影装置。
【請求項４】
前記コントローラーは、Ｘ線タルボ撮影の対象である被写体に対して行われた過去の一般撮影で得られた吸収画像に基づいて、前記Ｘ線源に対する前記Ｘ線タルボ撮影時の撮影条件を割り出すことを特徴とする請求項１に記載のＸ線タルボ撮影装置。
【請求項５】
前記コントローラーは、一般撮影で得られた前記吸収画像において被写体が撮影されていない部分の信号値と被写体が撮影されている部分の信号値との差と、前記Ｘ線タルボ撮影時の撮影条件とを対応付けた対応表を有しており、前記Ｘ線タルボ撮影の対象である被写体に対して行われた過去の一般撮影で得られた前記吸収画像における前記差を算出し、算出した前記差と前記対応表に基づいて、前記Ｘ線タルボ撮影時の撮影条件を割り出すことを特徴とする請求項４に記載のＸ線タルボ撮影装置。
【請求項６】
前記コントローラーは、前記Ｘ線源に対する前記Ｘ線タルボ撮影時の撮影条件を決定するとともに、それに付随して行われるスカウト撮影時の撮影条件も割り出して設定することを特徴とする請求項１から請求項５のいずれか一項に記載のＸ線タルボ撮影装置。
【請求項７】
Ｘ線を照射するＸ線源と、
複数の格子と、
被写体と前記複数の格子を透過したＸ線を検出してモアレ画像を撮影するＸ線検出器と、
前記Ｘ線源に対するＸ線タルボ撮影時の撮影条件を設定するコントローラーと、
を備えるＸ線タルボ撮影装置と、
前記Ｘ線タルボ撮影時の撮影条件を割り出す装置と、
を備え、
前記装置は、Ｘ線タルボ撮影の対象である被写体に対して一般撮影が行われる際の一般撮影に関する情報に基づいて、前記Ｘ線タルボ撮影装置の前記Ｘ線源に対する前記Ｘ線タルボ撮影時の撮影条件を割り出して前記コントローラーに送信し、
前記コントローラーは、前記装置から送信された前記撮影条件を前記Ｘ線源に対するＸ線タルボ撮影時の撮影条件として設定することを特徴とするＸ線タルボ撮影システム。
【発明の詳細な説明】
【技術分野】
【０００１】
本発明は、Ｘ線タルボ撮影装置およびＸ線タルボ撮影システムに関する。
【背景技術】
【０００２】
患者の関節部の軟骨は、通常、従来の銀塩フィルム等を用いて撮影される単純Ｘ線画像（すなわち吸収画像）には写らない。また、ＭＲＩ（magnetic resonance imaging：核磁気共鳴画像法）等の大型の撮影装置を用いれば、関節部の軟骨を画像中に写し出すことが可能であるが、装置自体が非常に高価なものであった。
【０００３】
一方、フラットパネルディテクター（Flat Panel Detector：ＦＰＤ）として知られるＸ線検出器（放射線画像撮影装置等ともいう。）を用いてＸ線撮影（いわゆる一般撮影）を行う場合、通常、被写体とＸ線検出器とを近接させて撮影を行うが、本願出願人は、あえて被写体とＸ線検出器との距離を離して撮影することで、関節部の軟骨を画像中に写し出すことが可能であることを見出した（例えば特許文献１参照）。
【０００４】
また、本願出願人は、これまで、Ｘ線が物体を透過するときに生じるＸ線の位相シフトを捉えて画像化する、タルボ効果を利用するタルボ干渉計を用いたＸ線撮影装置や、それを応用したタルボ・ロー干渉計を用いたＸ線撮影装置、フーリエ変換方式を用いたＸ線撮影装置について研究を重ねてきた（例えば特許文献２〜５等参照）。
【０００５】
なお、以下では、このタルボ干渉計やタルボ・ロー干渉計を用いたＸ線撮影装置やフーリエ変換方式を用いたＸ線撮影装置をまとめてＸ線タルボ撮影装置という。すなわち、Ｘ線タルボ撮影装置という場合、タルボ干渉計を用いたＸ線撮影装置だけでなく、タルボ・ロー干渉計を用いたＸ線撮影装置やフーリエ変換方式を用いたＸ線撮影装置も含まれる。
【０００６】
Ｘ線タルボ撮影装置で撮影を行うと、単数または複数のモアレ画像が撮影されるが、複数のモアレ画像を縞走査法の原理に基づく方法で撮影して解析したり、或いは１枚のモアレ画像をフーリエ変換等の技術を用いて解析したりすることで、吸収画像と微分位相画像と小角散乱画像の少なくとも３種類の画像を再構成して生成することができることが知られている。また、これらの画像等をさらに再構成して種々の画像を生成することも可能である。
【０００７】
そして、本願出願人は、このＸ線タルボ撮影装置を関節部の軟骨の撮影に適用し、解剖した関節部をＸ線タルボ撮影装置で撮影したところ、例えば非特許文献１に示されているように、少なくとも微分位相画像中に関節部の軟骨を写すことが可能であることを見出した。そして、さらに、上記のような解剖された状態の関節部ではなく、解剖されていない生体の状態でも、関節部のモアレ画像を撮影して上記のように再構成することで、少なくとも微分位相画像中に関節部の軟骨を写すことが可能であることが見出されている。
【先行技術文献】
【特許文献】
【０００８】
【特許文献１】特開２００８−２３３１２号公報
【特許文献２】特開２００８−２００３５９号公報
【特許文献３】国際公開第２０１１／０３３７９８号パンフレット
【特許文献４】国際公開第２０１２／０２９３４０号パンフレット
【特許文献５】特開２０１２−２０８１１４号公報
【非特許文献】
【０００９】
【非特許文献１】永島雅文、外７名，「関節軟骨の描出−微分干渉の原理を応用したＸ線撮影技術の可能性（第１４回臨床解剖研究会記録  ２０１０．９．１１）」，臨床解剖研究会記録，２０１１年２月，Ｎｏ１１，ｐ．５６−５７、［平成２７年１月２０日検索］、インターネット＜ URL : http://www.jrsca.jp/contents/records/＞
【発明の概要】
【発明が解決しようとする課題】
【００１０】
ところで、Ｘ線検出器（ＦＰＤ）を用いたＸ線撮影の分野においては、支持台等と一体型のＸ線検出器やカセッテ型のＸ線検出器がすでに病院等の施設に導入されて一般撮影等に用いられているが、Ｘ線タルボ撮影装置の分野は、Ｘ線検出器を用いた一般撮影等の分野に比べて歴史が浅い。
【００１１】
また、例えばＸ線検出器を用いて一般撮影を行う場合、基本的にはＸ線検出器とＸ線源さえあれば撮影を行うことができるが、Ｘ線タルボ撮影装置の場合には、後述するように、Ｘ線検出器やＸ線源のほかに、複数の格子やろ過フィルター（付加フィルター等ともいう。）等を備えている。
【００１２】
そのため、例えば、熟練した放射線技師等の操作者は、被写体である患者の体格等を見れば、Ｘ線源からどの程度の線量のＸ線を照射させればよいか、すなわち、Ｘ線源に設定する管電圧や管電流、照射時間（或いは管電流と照射時間との積である照射ｍＡｓ値）等をどのような値にすればよいかを自らの経験から比較的容易に決めることができるが、そのような操作者でも、Ｘ線タルボ撮影装置を用いた撮影の経験はさほど多くないため（或いは全くないため）、患者の体格等を見ても、Ｘ線タルボ撮影装置のＸ線源に設定する管電圧等の値を決めることは必ずしも容易ではない。
【００１３】
そのため、現状では、Ｘ線タルボ撮影装置を用いて撮影を行う際には、放射線技師等の操作者が、管電圧等の値を変えたりろ過フィルターを変える等して実際に撮影を行いながらＸ線源に設定する管電圧等の撮影条件を設定せざるを得ない。そのため、撮影条件の設定が操作者にとって非常に手間のかかる作業になるとともに、撮影対象の患者の待ち時間も長くなる等して患者にかかる負担も大きい。特にＸ線タルボ撮影装置は関節の軟骨等を撮影する場合も多いが、患者はリウマチ等を患っている場合も多く、関節部を撮影するために長い間関節部を真っ直ぐに伸ばすことができない等の問題もある。そのため、このような場合には特に撮影を早く終わらせる必要がある。
【００１４】
なお、以下では、Ｘ線源からＸ線検出器に被写体を介してＸ線を１回照射して被写体の吸収画像を撮影する上記の一般撮影と区別するため、Ｘ線タルボ撮影装置を用いて被写体のモアレ画像を撮影することをＸ線タルボ撮影という。そのため、Ｘ線タルボ撮影装置を備えるＸ線タルボ撮影システムでは、Ｘ線タルボ撮影により得られた単数または複数のモアレ画像が、その後の画像処理で再構成されて吸収画像や微分位相画像、小角散乱画像等の再構成画像が生成される。
【００１５】
本発明は、上記の問題点を鑑みてなされたものであり、Ｘ線タルボ撮影を行う際の撮影条件を容易かつ迅速に設定することが可能なＸ線タルボ撮影装置およびＸ線タルボ撮影システムを提供することを目的とする。
【課題を解決するための手段】
【００１６】
前記の問題を解決するために、本発明のＸ線タルボ撮影装置は、
Ｘ線を照射するＸ線源と、
複数の格子と、
被写体と前記複数の格子を透過したＸ線を検出してモアレ画像を撮影するＸ線検出器と、
前記Ｘ線源に対するＸ線タルボ撮影時の撮影条件を設定するコントローラーと、
を備え、
前記コントローラーは、Ｘ線タルボ撮影の対象である被写体に対して一般撮影が行われる際の一般撮影に関する情報に基づいて、前記Ｘ線源に対する前記Ｘ線タルボ撮影時の撮影条件を割り出して設定することを特徴とする。
【００１７】
また、本発明のＸ線タルボ撮影システムは、
Ｘ線を照射するＸ線源と、
複数の格子と、
被写体と前記複数の格子を透過したＸ線を検出してモアレ画像を撮影するＸ線検出器と、
前記Ｘ線源に対するＸ線タルボ撮影時の撮影条件を設定するコントローラーと、
を備えるＸ線タルボ撮影装置と、
前記Ｘ線タルボ撮影時の撮影条件を割り出す装置と、
を備え、
前記装置は、Ｘ線タルボ撮影の対象である被写体に対して一般撮影が行われる際の一般撮影に関する情報に基づいて、前記Ｘ線タルボ撮影装置の前記Ｘ線源に対する前記Ｘ線タルボ撮影時の撮影条件を割り出して前記コントローラーに送信し、
前記コントローラーは、前記装置から送信された前記撮影条件を前記Ｘ線源に対するＸ線タルボ撮影時の撮影条件として設定することを特徴とする。
【発明の効果】
【００１８】
本発明のような方式のＸ線タルボ撮影装置およびＸ線タルボ撮影システムによれば、Ｘ線タルボ撮影を行う際の撮影条件を容易かつ迅速に設定することが可能となる。
【図面の簡単な説明】
【００１９】
【図１】本実施形態に係るＸ線タルボ撮影装置の構成を表す概略図である。
【図２】（Ａ）ろ過フィルターの構成等を表す図であり、（Ｂ）ろ過フィルターを分解した状態を表す図である。
【図３】本実施形態に係るＸ線タルボ撮影システムの構成を表す概略図である。
【図４】撮影部位と対象者の体格ごとに一般撮影時の撮影条件とＸ線タルボ撮影時の撮影条件とが対応付けられた対応表の例を表す図である。
【図５】患者の体格を図４の場合よりもさらに細かく分類した場合の対応表の例を表す図である。
【図６】撮影部位と対象者の体格ごとに一般撮影時の撮影条件とＸ線タルボ撮影時の撮影条件とが対応付けられた対応表の別の例を表す図である。
【図７】コントローラーの表示部上に表示される選択画面の例を表す図である。
【図８】一般撮影時の撮影条件とＸ線タルボ撮影時の撮影条件およびスカウト撮影時の撮影条件とが対応付けられた対応表の例を表す図である。
【図９】吸収画像の例を表す図であり、被写体が撮影されていない部分や被写体が撮影されている部分を説明する図である。
【図１０】差ΔＳとそれに対応するＸ線タルボ撮影時の撮影条件とが対応付けられた対応表の例を表す図である。
【図１１】微分位相画像の例、および微分位相画像中に写し出された軟骨を表す図である。
【図１２】Ｘ線タルボ撮影を行うごとに記録されたＸ線タルボ撮影時やスカウト撮影時の撮影条件等の例を表す図である。
【図１３】（Ａ）、（Ｂ）手をＸ線タルボ撮影装置の被写体台上に載置する際の仕方について説明する図である。
【図１４】指先が上側、手首側が下側になるように表示された手指の吸収画像の例を表す図である。
【図１５】Ｘ線タルボ撮影装置の変更前に生成された再構成画像ＩＡと変更後に生成された再構成画像ＩＢの例を表す図である。
【図１６】再構成画像ＩＡ、ＩＢをそれぞれ骨の部分とそれ以外の部分とで２値化した画像および骨幅の最大値ａ、ｂを説明する図である。
【図１７】再構成画像ＩＡとａ／ｂ倍された再構成画像ＩＢを表す図である。
【図１８】変更後の再構成画像ＩＢを変更前の再構成画像ＩＡの大きさにあわせてトリミングして表示することを説明する図である。
【発明を実施するための形態】
【００２０】
以下、本発明に係るＸ線タルボ撮影装置およびＸ線タルボ撮影システムの実施の形態について、図面を参照して説明する。
【００２１】
なお、本実施形態では、Ｘ線タルボ撮影装置が、後述する線源格子（マルチ格子やマルチスリット等ともいう。）１２を備えるタルボ・ロー干渉計を用いたＸ線タルボ撮影装置である場合について説明するが、Ｘ線タルボ撮影装置が、線源格子１２を備えず、第１格子（Ｇ１格子ともいう。）１５と第２格子（Ｇ２格子ともいう。）１６のみを備えるタルボ干渉計を用いたＸ線タルボ撮影装置や、被写体に１回（或いは複数回）Ｘ線を照射して得られたモアレ画像に対してフーリエ変換等を施して再構成画像を得るフーリエ変換方式を用いたＸ線撮影装置である場合にも本発明を適用することができる。
【００２２】
［Ｘ線タルボ撮影装置の構成について］
本実施形態に係るＸ線タルボ撮影装置の構成例について説明する。図１は、本実施形態に係るＸ線タルボ撮影装置の構成を表す概略図である。
【００２３】
前述したように、Ｘ線タルボ撮影装置１では、タルボ干渉計やタルボ・ロー干渉計が用いられているが、タルボ干渉計等を構築する基本となるタルボ効果とは、一定の周期でスリットが設けられた第１格子（Ｇ１格子）を可干渉性（コヒーレント）のＸ線が透過すると、Ｘ線の進行方向に一定周期でその格子像を結ぶ現象をいう（例えば前述した特許文献２参照）。この格子像は自己像と呼ばれ、タルボ干渉計等では、自己像を結ぶ位置に第２格子（Ｇ２格子）を配置することでモアレ縞を生じさせることができる。そして、照射されるＸ線内に被写体を配置すると、被写体によりモアレ縞に歪みが生じる。Ｘ線タルボ撮影装置１では、このようにして被写体によりモアレ縞に歪みが生じたモアレ画像を撮影するように構成される。
【００２４】
本実施形態では、Ｘ線タルボ撮影装置１は、Ｘ線源１１と、線源格子１２と、ろ過フィルター１３と、被写体台１４と、第１格子１５と、第２格子１６と、Ｘ線検出器１７と、支柱１８と、コントローラー２０とを備えている。なお、以下では、図１に示すように、Ｘ線タルボ撮影装置１が、上側に設けられたＸ線源１１から下方の被写体Ｈに向けてＸ線を照射するように構成されている場合について説明するが、Ｘ線の照射方向はこれに限らず、水平方向や任意の方向に照射されるように構成することも可能であり、そのように構成されている場合にも本発明を適用することができる。
【００２５】
Ｘ線タルボ撮影装置１は、Ｘ線源１１として、例えば医療現場で広く一般に用いられているクーリッジＸ線源や回転陽極Ｘ線源等を備えている。また、それ以外のＸ線源を用いることも可能である。なお、図１では、Ｘ線源１１は点光源のように記載されているが、実際には、よく知られているように管球や高電圧装置（いずれも図示省略）等を備えるように構成されている。そして、図示を省略するが、管球は、高速で回転する回転陽極に電子銃から射出された電子ビームを電子レンズで絞って照射してＸ線を発生させる。そして、Ｘ線が絞りで絞られる等して下方に照射されるように構成される。なお、高電圧装置を、管球と一体的に構成することも可能であり、管球とは別体に構成することも可能である。以下では、管球や高電圧装置等をまとめてＸ線源１１という。
【００２６】
そして、図１の状態では、Ｘ線源１１の下方に線源格子１２が設けられている。また、Ｘ線源１１の陽極の回転等により生じる振動が線源格子１２に伝わらないようにするために、線源格子１２は、Ｘ線源１１を覆うカバーには取り付けられず、支柱１８に設けられた基台部１９に取り付けられた固定部材１２ａに取り付けられている。
【００２７】
また、線源格子１２や第１格子１５、第２格子１６には、Ｘ線の照射方向であるｚ方向と直交するｙ方向に所定の周期で図示しない複数のスリットが配列されて形成されている。なお、この場合、上記のスリットの延在方向はｘ方向になる。そして、固定部材１２ａには、線源格子１２のほか、線源格子１２を透過したＸ線の線質を変えるためのろ過フィルター１３や、照射されるＸ線の照射野を絞るための照射野絞り１１１、Ｘ線を照射する前にＸ線の代わりに可視光を被写体Ｈに照射して位置合わせを行うための照射野ランプ１１２等が取り付けられている。
【００２８】
なお、線源格子１２とろ過フィルター１３と照射野絞り１１１は、必ずしもこの順番に設けられる必要はない。また、本実施形態では、線源格子１２等の周囲には、それらを保護するための第１のカバーユニット１２０が配置されている。
【００２９】
また、本実施形態では、ろ過フィルター１３は、図２（Ａ）に示すように、複数種類（図２（Ａ）、（Ｂ）では素通しの部分を含めて４種類）のフィルターで構成されており、回転軸１３ａを中心としてろ過フィルター１３を回転させることで複数種類のフィルターのうちのいずれかをＸ線源１１から照射されたＸ線（図２（Ａ）のＸ参照）の光軸上に配置することができるようになっている。そして、光軸上に配置されたフィルターに応じて、線源格子１２（図１参照）を透過したＸ線の線質を変えることができるようになっている。
【００３０】
そして、本実施形態では、ろ過フィルター１３は、例えば図２（Ｂ）に示すように、放射線を透過しない鉛（Ｐｂ）等の金属等で形成され４カ所に開口１３Ａ〜１３Ｄが設けられた円形板１３ｐに、例えばアルミニウム（Ａｌ）やタングステン（Ｗ）、コバルト（Ｃｏ）、モリブデン（Ｍｏ）等の金属等で形成された３／４円状のフィルター１３ｑと、半円状のフィルター１３ｒと、１／４円状のフィルター１３ｓとを重ね合わせて形成されている。
【００３１】
本実施形態では、このようにして、ろ過フィルター１３の各開口１３Ａ〜１３Ｄにおけるフィルターの厚み（素通しの部分を含む。）を変えることで、Ｘ線の線質をフィルターの厚みに応じて変えるようになっている。そして、以下では、ろ過フィルター１３を構成する各フィルター（すなわち各開口１３Ａ〜１３Ｄに形成されるフィルター）を、例えばフィルター種２．３ｍｍＡＬやフィルター種３．８ｍｍＡＬ等のようにその厚みと材質とを用いて表す。
【００３２】
なお、ろ過フィルター１３の構成は、図２（Ａ）、（Ｂ）に示した場合に限定されない。例えば、ろ過フィルター１３を、厚みが連続的に変化するように構成して、Ｘ線がろ過フィルター１３を透過する位置を変化させて、Ｘ線の線質をろ過フィルター１３の厚みに応じて連続的に変えることができるように構成することも可能である。また、ろ過フィルター１３を構成する各フィルターを、異なる種類の金属等を用いたりそれらを組み合わせて形成したりすることも可能であり、ろ過フィルター１３の構造やそれを構成するフィルターの材質等は、特定の構造や材質等に限定されない。
【００３３】
一方、図１に示すように、Ｘ線源１１と第１格子１５との間には、被写体である患者の手や足等の関節部を撮影するために被写体Ｈを保持する被写体台１４が配置されている。そして、図示を省略するが、本実施形態では、撮影の最中に患者の体動がないようにするために、被写体である患者の手や足等を固定するための固定手段で被写体Ｈを固定して撮影を行うようになっている。
【００３４】
また、被写体台１４の下方に第１格子１５および第２格子１６が配置されており、第２格子１６の直下に、Ｘ線検出器１７が配置されている。本実施形態では、Ｘ線検出器１７として、前述したフラットパネルディテクターが用いられるようになっている。そして、Ｘ線検出器１７は、被写体Ｈや第１格子１５、第２格子１６を透過したＸ線を検出して、照射されたＸ線に応じて電気信号を発生させる図示しない変換素子が配置されており、これらの変換素子によって発生された電気信号を画像信号に変換してモアレ画像を撮影するように構成されている。また、第１格子１５や第２格子１６、Ｘ線検出器１７等の周囲には、それらを患者の足等から保護するための第２のカバーユニット１４０が配置されている。
【００３５】
なお、Ｘ線タルボ撮影装置１で、いわゆる縞走査法を用いてモアレ画像を複数枚撮影するように構成する場合には、線源格子１２、第１格子１５、第２格子１６のうちのいずれか１つ、或いは第１格子１５と第２格子１６の両方をｙ方向に移動させるための図示しない移動装置等が設けられる。
【００３６】
コントローラー２０（図１参照）は、図示しないＣＰＵ（Central Processing Unit）やＲＯＭ（Read Only Memory）、ＲＡＭ（Random Access Memory）、入出力インターフェース等がバスに接続されたコンピューターで構成されている。このように、コントローラー２０を汎用コンピューターで構成する代わりに、専用の制御装置として構成することも可能である。
【００３７】
また、コントローラー２０は、ＣＲＴ（Cathode Ray Tube）やＬＣＤ（Liquid Crystal Display）等で構成された表示部２０ａや、マウスやキーボード等で構成された入力手段２０ｂを備えており、さらに、ＨＤＤ（Hard Disk Drive）等で構成される記憶手段２０ｃを備え、或いは内蔵している。
【００３８】
コントローラー２０は、Ｘ線源１１に対するＸ線タルボ撮影時の撮影条件を設定することができるようになっている。すなわち、Ｘ線源１１に対する管電圧や管電流、照射時間（或いは照射ｍＡｓ値）や使用するろ過フィルター１３のフィルター種等のＸ線タルボ撮影時の撮影条件の設定を、コントローラー２０上で行うことができるようになっている。なお、コントローラー２０におけるＸ線タルボ撮影時の撮影条件の設定等については後で説明する。
【００３９】
また、本実施形態では、コントローラー２０は、Ｘ線タルボ撮影装置１で縞走査法を用いてモアレ画像を複数枚撮影する際に、上記のように第１格子１５等をｙ方向（図１参照）に移動させるための移動装置等を制御して、第１格子１５等を移動させるようになっており、Ｘ線タルボ撮影装置１のジェネレーターとしても機能するようになっている。また、前述したように、Ｘ線タルボ撮影装置１で撮影された単数または複数のモアレ画像に基づいて吸収画像や微分位相画像、小角散乱画像等の再構成画像が生成されるが、この再構成画像の生成処理をコントローラー２０上で行うように構成することも可能である。
【００４０】
このように、コントローラー２０に種々の機能を持たせるように構成することが可能であり、どのような機能を持たせるかは適宜決められるが、少なくとも、上記のようにコントローラー２０上でＸ線源１１に対するＸ線タルボ撮影時の撮影条件を設定することができるように構成される。
【００４１】
なお、Ｘ線タルボ撮影装置１のＸ線源１１に対するＸ線タルボ撮影時の撮影条件を割り出す処理を、本実施形態のようにＸ線タルボ撮影装置１のコントローラー２０で行うように構成する代わりに、例えば図３に示すように、Ｘ線タルボ撮影装置１のコントローラー２０にネットワークを介する等してコンピューター等の外部装置６０を接続してＸ線タルボ撮影システム５０を形成し、外部装置６０でこの処理を行うように構成することも可能である。この場合、外部装置６０は、Ｘ線タルボ撮影時の撮影条件を割り出すと、Ｘ線タルボ撮影装置１のコントローラー２０にその情報を送信し、コントローラー２０が、外部装置６０から送信されてきたＸ線タルボ撮影時の撮影条件を、Ｘ線源１１に対するＸ線タルボ撮影時の撮影条件として設定するように構成される。
【００４２】
そして、以下では、Ｘ線タルボ撮影装置１のＸ線源１１に対するＸ線タルボ撮影時の撮影条件を割り出す処理を、Ｘ線タルボ撮影装置１のコントローラー２０で行う場合について説明するが、上記のように、外部装置６０で行うように構成する場合も同様に説明される。
【００４３】
［Ｘ線タルボ撮影時の撮影条件の設定処理等について］
以下、本実施形態に係るＸ線タルボ撮影装置１のコントローラー２０におけるＸ線タルボ撮影時の撮影条件の設定処理等について説明するとともに、本実施形態に係るＸ線タルボ撮影装置１の作用についてもあわせて説明する。
【００４４】
前述したように、支持台等と一体型のＸ線検出器やカセッテ型のＸ線検出器を用いた一般撮影はすでに病院等の施設で行われており、放射線技師等の操作者は、撮影部位（手（指を含む。）や手首、肘、肩、足、足首、膝等）や被写体である患者の体格（標準的、太め、細め等）から、Ｘ線源に対する撮影条件としてどのような値の管電圧や管電流、照射時間（或いは照射ｍＡｓ値）等を設定すればよいかを、経験的に的確に推定できる場合が少なくない。しかし、Ｘ線タルボ撮影装置１は開発が開始されてから歴史が浅いこともあり、このような放射線技師等の操作者でも、撮影部位や患者の体格等から、Ｘ線タルボ撮影装置１のＸ線源１１に対する撮影条件として設定すべき管電圧等の値を決めることは必ずしも容易ではなく、手間のかかる作業であった。
【００４５】
そこで、本発明者らが、Ｘ線タルボ撮影装置１でＸ線タルボ撮影を行う際の撮影条件を容易かつ迅速に設定ための設定方法等について研究を重ねた結果、同じ被写体（同じ患者および撮影部位）に対して、一般撮影を行う際の撮影条件と、Ｘ線タルボ撮影を行う際の撮影条件との間に対応関係があることが分かった。
【００４６】
そして、本発明では、この知見を用いて、Ｘ線タルボ撮影装置１のコントローラー２０は、Ｘ線タルボ撮影の対象である被写体に対して一般撮影が行われる際の一般撮影に関する情報に基づいて、Ｘ線タルボ撮影装置１のＸ線源１１に対するＸ線タルボ撮影時の撮影条件を割り出して自動的に（すなわち放射線技師等によらずに自ら）設定するように構成されている。
【００４７】
以下、Ｘ線タルボ撮影装置１のコントローラー２０がＸ線タルボ撮影時の撮影条件を設定する設定処理について、いくつかの構成例を挙げて具体的に説明する。
【００４８】
［構成例１］
前述したように、Ｘ線タルボ撮影装置１でＸ線タルボ撮影が行われて得られた単数または複数のモアレ画像を再構成すると、被写体Ｈの吸収画像や微分位相画像、小角散乱画像等の再構成画像を生成することができるが、そのうち、再構成画像としての吸収画像は、同じ被写体に対して一般撮影を行って得られる吸収画像（例えば後述する図９参照）と同じような画像になる。
【００４９】
そこで、例えば、Ｘ線タルボ撮影装置１のＸ線源１１に対する撮影条件として管電圧等の撮影条件を種々変えながら、ある被写体Ｈ（撮影対象者の撮影部位または撮影部位に対応するファントム）に対してＸ線タルボ撮影を行い、得られたモアレ画像を再構成して生成された吸収画像が、同じ被写体Ｈに対して行った一般撮影で得られた吸収画像と同じような濃淡になる撮影条件（すなわちＸ線タルボ撮影時の撮影条件）を割り出す。そして、このようにして割り出したＸ線タルボ撮影時の撮影条件を、一般撮影時の撮影条件と対応付ける。
【００５０】
そして、このような作業を、撮影部位を替えず、撮影される対象者（或いはファントム。以下同じ。）を替えて行うと、対象者の体格（標準的、太め、細め）が同じような体格である場合には、それらの対象者について同じ撮影条件（Ｘ線タルボ撮影時の撮影条件）を適用できることが分かった。
【００５１】
すなわち、撮影部位が同じであれば、Ｘ線タルボ撮影時の撮影条件を対象者ごとに変える必要はなく、標準的な体格の対象者には１つの撮影条件を適用し、太めの体格の対象者には別の１つの撮影条件を適用し、細めの体格の対象者には１つの撮影条件を適用することができることが分かった。
【００５２】
そのため、撮影部位ごとに体格が異なる対象者について上記のようにしてＸ線タルボ撮影時の撮影条件を割り出し、それを一般撮影時の撮影条件と対応付けていくと、例えば図４に示すように、撮影部位と対象者の体格ごとに一般撮影時の撮影条件とＸ線タルボ撮影時の撮影条件とが対応付けられた対応表Ｌ１が得ることができる。
【００５３】
なお、後述する各対応表においても同様であるが、対応表Ｌ１において、単位［kVp］、［mA］、［msec］、［mAs］を付して表される数値はそれぞれＸ線源に対する撮影条件としての管電圧、管電流、照射時間、照射ｍＡｓ値であり、「２．３ｍｍＡＬ」や「３．８ｍｍＡＬ」は前述したろ過フィルター１３のフィルターの種類（フィルター種）を表している。また、図４等の例では、Ｘ線タルボ撮影時の撮影条件における照射時間［msec］は、縞走査法により複数回照射されるＸ線のトータルの照射時間を表している。
【００５４】
また、対応表Ｌ１を含む各対応表では、管電流および照射時間と、照射ｍＡｓ値とがいずれも記載されているが、Ｘ線源によっては、管電流と照射時間とを分けて設定することができず、それらの積である照射ｍＡｓ値の形で設定するタイプのものもある。そのため、図４等に示したように、対応表上で、必ずしも管電流および照射時間と照射ｍＡｓ値との両方を設定する必要はなく、Ｘ線源のタイプにあわせて、管電流および照射時間のみ、或いは照射ｍＡｓ値のみを設定するように構成することも可能である。
【００５５】
さらに、図４に示した対応表Ｌ１では、患者の体格を、細め、標準的、太めの３段階に分けて撮影条件を対応付けた場合を示したが、例えば図５に示すように、患者の体格をさらに細かく分類し、各分類に対してそれぞれ一般撮影時の撮影条件とＸ線タルボ撮影時の撮影条件とを対応付けるように構成することも可能である。なお、図５の対応表Ｌ１では、体格を表す数値が大きくなるほど患者の太さが増し、数値が小さくなるほどより細身であることを表している。
【００５６】
また、Ｘ線タルボ撮影装置１によっては、Ｘ線タルボ撮影時の撮影条件を一般撮影時の撮影条件ほど細かく設定することができない場合もあり得る。そこで、そのような場合には、例えば図６に示すような形で一般撮影時の撮影条件とＸ線タルボ撮影時の撮影条件とを対応付けるようにして対応表Ｌ１を構成することも可能である。
【００５７】
本実施形態では、Ｘ線タルボ撮影装置１のコントローラー２０は、このように一般撮影時の撮影条件とそれに対応するＸ線タルボ撮影時の撮影条件とを対応付けた対応表Ｌ１を予め、記憶手段２０ｃ（図１参照）やＲＯＭ等に記憶させる等して有しており、或いはプログラム中に書き込む等して対応表Ｌ１を有している。
【００５８】
［構成例１−１］
構成例１−１および後述する構成例１−２では、前述した「Ｘ線タルボ撮影の対象である被写体に対して一般撮影が行われる際の一般撮影に関する情報」（［Ｘ線タルボ撮影時の撮影条件の設定処理等について］の項参照）として、Ｘ線タルボ撮影の対象である被写体に対して行われた過去の一般撮影の際に設定された一般撮影時の撮影条件に着目する。
【００５９】
そして、Ｘ線タルボ撮影装置１のコントローラー２０が、Ｘ線タルボ撮影の対象である被写体に対して行われた過去の一般撮影の際に設定された一般撮影時の撮影条件に基づいて、Ｘ線タルボ撮影装置１のＸ線源１１に対するＸ線タルボ撮影時の撮影条件を割り出す場合について説明する。
【００６０】
例えば、図１等では図示を省略したＰＡＣＳ（Picture Archiving and Communication System）等の外部システムやサーバー等に、患者の撮影部位を一般撮影した画像データが保管されており、画像データのヘッダー等に当該画像データに関する患者の情報や撮影部位の情報とともに当該一般撮影時の撮影条件が書き込まれている場合がある。
【００６１】
そのような場合には、コントローラー２０は、これから行われるＸ線タルボ撮影の被写体である患者の情報と撮影部位（手や膝等）の情報がコンソール等から送信されたり或いは放射線技師等の操作者により入力手段２０ｂ（図１参照）を介して入力された時点で、外部システムやサーバー等から、当該患者の撮影部位について行われた過去の一般撮影の際に設定された一般撮影時の撮影条件の情報を入手することができる。
【００６２】
また、撮影の手順として、Ｘ線タルボ撮影装置１で行われる被写体（患者および撮影部位）のＸ線タルボ撮影に先立って、同じ被写体に対して一般撮影を行うように運用されるケースもある。そして、この場合は、このようにＸ線タルボ撮影の直前に行われた一般撮影の際の撮影条件の情報を、一般撮影で得られた画像データに基づいて吸収画像を生成したコンソールや画像処理装置等から入手することもできる。なお、このように「過去の一般撮影」にはＸ線タルボ撮影の直前に行われた一般撮影も含まれる。
【００６３】
そこで、コントローラー２０は、一般撮影で得られた吸収画像やその際の一般撮影の撮影条件等の情報を管理しているＰＡＣＳ等の外部システムやサーバー、コンソール等に対して、これから行われるＸ線タルボ撮影の対象である患者の情報と撮影部位の情報等を送り、それに対応する一般撮影時の撮影条件を検索させて送信させる等して、一般撮影時の撮影条件の情報を自動的に入手するように構成することができる。
【００６４】
そして、この構成例１−１では、コントローラー２０は、上記のようにして外部システム等から、Ｘ線タルボ撮影の対象である被写体（患者および撮影部位）に対して行われた過去の一般撮影の際に設定された一般撮影時の撮影条件を入手すると、対応表Ｌ１（図４等参照）に基づいて、それに対応する、Ｘ線タルボ撮影装置１のＸ線源１１に対するＸ線タルボ撮影時の撮影条件を割り出す。そして、割り出した撮影条件（管電圧、フィルター種、管電流、照射時間（或いは照射ｍＡｓ値））を自動的に設定するように構成される。
【００６５】
［構成例１−２］
また、上記のようにして、コントローラー２０が、Ｘ線タルボ撮影の対象である被写体に対して行われた過去の一般撮影の際に設定された一般撮影時の撮影条件を自動的に入手する代わりに、例えば、放射線技師等の操作者が、過去の一般撮影時の撮影条件をコントローラー２０に入力手段２０ｂを介して入力したり、或いは過去の一般撮影時の撮影条件等がコード化されたバーコードや２次元コード等を図示しないリーダーで読み取らせる等してコントローラー２０に入力するように構成することも可能である。
【００６６】
以上の構成例１−１、１−２のように構成すれば、Ｘ線タルボ撮影の対象である被写体に対して行われた過去の一般撮影の際に設定された一般撮影時の撮影条件に基づいて、Ｘ線タルボ撮影装置１のＸ線源１１に対するＸ線タルボ撮影時の撮影条件がコントローラー２０により自動的に割り出される。そのため、放射線技師等の操作者がＸ線タルボ撮影時の撮影条件を試行錯誤しながら設定する必要がなくなり、Ｘ線タルボ撮影装置１でＸ線タルボ撮影を行う際の撮影条件を容易にかつ迅速に設定することが可能となる。
【００６７】
なお、以下の各構成例においても同様であるが、例えば、構成例１−１、１−２において、コントローラー２０が自動的に設定したＸ線タルボ撮影時の撮影条件（管電圧等）をコントローラー２０の表示部２０ａ（図１等参照）上に表示する等して、放射線技師等の操作者にどのような管電圧等が設定されたかを報知するように構成することも可能である。このように構成すれば、操作者がＸ線タルボ撮影時の撮影条件として実際にどのような管電圧等が設定されたかを知ることが可能となり、必要に応じて撮影条件の修正等を行うことも可能となる。
【００６８】
また、その際、当該被写体に対して過去の一般撮影の際に設定された一般撮影時の撮影条件や画像調整等の必要な情報もあわせて表示するように構成することも可能であり、Ｘ線タルボ撮影時の撮影条件とともに報知される内容は適宜決められる。
【００６９】
［構成例１−３］
一方、前述したように、一般撮影の経験を積んだ放射線技師等の操作者であれば、患者の体格（標準的、太め、細め等）を見て、撮影部位（手や膝等）を一般撮影する場合にＸ線源に対する撮影条件としてどのような値の管電圧や管電流、照射時間（或いは照射ｍＡｓ値）等を設定すればよいかを的確に想定することができる。
【００７０】
そこで、放射線技師等の操作者が、仮に被写体（患者および撮影部位）に対して一般撮影を行うとした場合に設定する一般撮影時の撮影条件（管電圧や管電流、照射時間（或いは照射ｍＡｓ値））をＸ線タルボ撮影装置１のコントローラー２０に入力すると、コントローラー２０が、図４等に示した対応表Ｌ１の一般撮影時の撮影条件の中から入力された撮影条件に合致する撮影条件を検索し、それに対応するＸ線タルボ撮影時の撮影条件を割り出して自動的に設定するように構成することも可能である。
【００７１】
或いは、図４等に示した撮影部位（体格）と一般撮影時の撮影条件の各項目をコントローラー２０の表示部２０ａ（図１等参照）上に表示して、それらの一般撮影時の撮影条件の中から操作者に特定の一般撮影時の撮影条件を選択させるように構成することも可能である。
【００７２】
この場合、前述した「Ｘ線タルボ撮影の対象である被写体に対して一般撮影が行われる際の一般撮影に関する情報」は、仮に被写体に対して一般撮影を行うとした場合に操作者が設定する一般撮影時の撮影条件ということになる。
【００７３】
そして、この構成例１−３のように構成すれば、放射線技師等の操作者が患者の体格や撮影部位から一般撮影を行う場合に設定する管電圧等を経験に基づいて推定し、それをＸ線タルボ撮影装置１のコントローラー２０に入力するだけで、Ｘ線タルボ撮影装置１のＸ線源１１に対するＸ線タルボ撮影時の撮影条件がコントローラー２０により自動的に割り出される。そのため、操作者がＸ線タルボ撮影時の撮影条件を試行錯誤しながら設定する必要がなくなり、Ｘ線タルボ撮影装置１でＸ線タルボ撮影を行う際の撮影条件を容易にかつ迅速に設定することが可能となる。
【００７４】
［構成例１−４］
また、構成例１−３をさらに敷衍して、放射線技師等の操作者が、患者の体格が標準的であるか、太めであるか、細めであるかを判別して、撮影部位とともにコントローラー２０に入力することで、コントローラー２０がＸ線タルボ撮影時の撮影条件を自動的に割り出して設定するように構成することも可能である。
【００７５】
この場合、コントローラー２０の表示部２０ａ上に、例えば図７に示すように、撮影部位（手や膝等）や患者の体格（細め、標準的、太め）を選択することが可能な選択画面を表示し、放射線技師等の操作者が撮影部位（左右を含む。）や患者の体格を判別して対応するボタンアイコンＩをクリックする等して選択する。患者の体格をさらに細かく分類する場合には、「細め」等のボタンアイコンの代わりに、例えば「−３」〜「＋３」等の各ボタンアイコンを表示するように構成することも可能である。また、他の要素を選択できるように構成することも可能である。
【００７６】
そして、コントローラー２０は、操作者により撮影部位や患者の体格が選択されると、図４等に示した対応表Ｌ１の撮影部位と体格の中から入力された撮影部位と患者の体格に合致する項目を検索し、それに対応するＸ線タルボ撮影時の撮影条件を割り出して自動的に設定するように構成することが可能である。
【００７７】
このように構成すれば、放射線技師等の操作者が患者の体格を判別して撮影部位と患者の体格をＸ線タルボ撮影装置１のコントローラー２０に入力するだけで、Ｘ線タルボ撮影装置１のＸ線源１１に対するＸ線タルボ撮影時の撮影条件がコントローラー２０により自動的に割り出される。そのため、操作者がＸ線タルボ撮影時の撮影条件を試行錯誤しながら設定する必要がなくなり、Ｘ線タルボ撮影装置１でＸ線タルボ撮影を行う際の撮影条件を容易にかつ迅速に設定することが可能となる。
【００７８】
［構成例２］
ところで、下記の構成例においても同様であるが、Ｘ線タルボ撮影を行う前に、被写体台１４上での被写体の位置合わせ等のために、Ｘ線を１回だけ照射させるスカウト撮影が付随して行われる場合がある。そして、このスカウト撮影時の撮影条件についても、Ｘ線タルボ撮影装置１のコントローラー２０が、Ｘ線タルボ撮影（スカウト撮影）の対象である被写体（患者および撮影部位）に対して行われた過去の一般撮影の際に設定された一般撮影時の撮影条件に基づいて、スカウト撮影時の撮影条件を割り出して自動的に設定するように構成することが可能である。
【００７９】
この場合、コントローラー２０は、例えば上記の図４に対応する対応表Ｌ２として、図８に示すような対応表を有するように構成される。そして、上記のようにして外部システム等から、Ｘ線タルボ撮影（スカウト撮影）の対象である被写体（患者および撮影部位）に対して行われた過去の一般撮影の際に設定された一般撮影時の撮影条件を入手すると、対応表Ｌ２に基づいて、それに対応する、Ｘ線タルボ撮影装置１のＸ線源１１に対するスカウト撮影時の撮影条件を割り出す。そして、割り出した撮影条件（管電圧、フィルター種、管電流、照射時間（或いは照射ｍＡｓ値））を自動的に設定するように構成される。
【００８０】
このように構成すれば、Ｘ線タルボ撮影に付随して行われるスカウト撮影の対象である被写体に対して行われた過去の一般撮影の際に設定された一般撮影時の撮影条件に基づいて、Ｘ線タルボ撮影装置１のＸ線源１１に対するスカウト時の撮影条件がコントローラー２０により自動的に割り出される。そのため、放射線技師等の操作者がスカウト撮影時の撮影条件を試行錯誤しながら設定する必要がなくなり、Ｘ線タルボ撮影装置１でスカウト撮影を行う際の撮影条件を容易にかつ迅速に設定することが可能となる。
【００８１】
なお、図８では、図４の対応表Ｌ１に対応する対応表Ｌ２を示したが、対応表Ｌ２を、図５や図６に示した対応表Ｌ１に対応するように構成することも可能である。
【００８２】
また、スカウト撮影では、１枚のモアレ画像が撮影されるが、モアレ画像にはモアレ縞が重畳されており、被写体の像が見づらい場合がある。そこで、本実施形態では、コントローラー２０は、スカウト撮影で得られた１枚のモアレ画像に対して簡易的な画像処理を行ってこのモアレ画像からモアレ縞を除去するようになっている。このように構成することで、放射線技師等の操作者が簡易処理後の画像を見て、画像上に残った被写体の像の画像中の位置等に基づいて被写体台１４上での被写体の位置合わせが適切に行われているか否か等を適切に判断することが可能となる。
【００８３】
［構成例３］
一方、上記の構成例１では、Ｘ線タルボ撮影装置１のコントローラー２０が、Ｘ線タルボ撮影の対象である被写体に対して行われた過去の一般撮影の際に設定された一般撮影時の撮影条件に基づいて、Ｘ線源１１に対する前記Ｘ線タルボ撮影時の撮影条件を割り出す場合について説明した。
【００８４】
しかし、このように構成する代わりに、コントローラー２０が、Ｘ線タルボ撮影の対象である被写体に対して行われた過去の一般撮影で得られた吸収画像に基づいて、Ｘ線タルボ撮影装置１のＸ線源１１に対するＸ線タルボ撮影時の撮影条件を割り出すように構成することも可能である。
【００８５】
すなわち、この構成例３では、前述した「Ｘ線タルボ撮影の対象である被写体に対して一般撮影が行われる際の一般撮影に関する情報」（［Ｘ線タルボ撮影時の撮影条件の設定処理等について］の項参照）として、Ｘ線タルボ撮影の対象である被写体に対して行われた過去の一般撮影で得られた吸収画像に着目する。そして、この構成例３を採用すれば、上記のように過去の一般撮影の際の撮影条件の情報を入手できなかったり容易に入手できないような場合でも、一般撮影で得られた吸収画像そのものに基づいてＸ線タルボ撮影時の撮影条件を設定することが可能となる。
【００８６】
具体的には、前述した構成例１の場合と同様に、例えば、Ｘ線タルボ撮影装置１のＸ線源１１に対する撮影条件として管電圧等の撮影条件を種々変えながら、ある被写体Ｈ（撮影対象者の撮影部位または撮影部位に対応するファントム）に対してＸ線タルボ撮影を行い、得られたモアレ画像を再構成して生成された吸収画像が、同じ被写体Ｈに対して行った一般撮影で得られた吸収画像と同じような濃淡になる撮影条件（すなわちＸ線タルボ撮影時の撮影条件）を割り出す。
【００８７】
その際、例えば、手指の一般撮影を行うと、例えば図９に示すような吸収画像Ｉabが得られるが、コントローラー２０は、Ｘ線タルボ撮影時の撮影条件を割り出す際の基準とされた吸収画像Ｉabの濃淡として、被写体が撮影されていない部分αの信号値の平均値（以下、Ｓ値といい、部分α等のＳ値をＳα等と表す。）と、被写体が撮影されている部分βのＳ値Ｓβを算出する。なお、被写体が撮影されていない部分αと被写体が撮影されている部分βは、例えば吸収画像Ｉabの各画素の信号値等から画像解析により求めることができる。
【００８８】
そして、コントローラー２０は、このようにして一般撮影で得られた吸収画像Ｉabにおける被写体が撮影されていない部分αのＳ値Ｓαと被写体が撮影されている部分βのＳ値Ｓβとの差ΔＳを算出し、この差ΔＳと、上記のようにしてこの一般撮影で得られた吸収画像Ｉabと同じような濃淡になる撮影条件として割り出したＸ線タルボ撮影時の撮影条件とを対応付ける。
【００８９】
構成例３では、コントローラー２０は、図４等に示した対応表Ｌ１の代わりに、上記のようにして差ΔＳとそれに対応するＸ線タルボ撮影時の撮影条件とを対応付けた対応表Ｌ３（図１０参照）を予め、記憶手段２０ｃ（図１参照）やＲＯＭ等に記憶させる等して有しており、或いはプログラム中に書き込む等して対応表Ｌ３を有している。
【００９０】
なお、図１０では、上記の構成例１の図４に対応する例が記載されているが、例えば図５に示した場合と同様に、差ΔＳをより細かく分類してＸ線タルボ撮影時の撮影条件とを対応付けるように構成することも可能である。また、この構成例３においても、図８に示したように、Ｘ線タルボ撮影時の撮影条件とともにスカウト撮影時の撮影条件をも対応付けるように構成することも可能である。
【００９１】
そして、コントローラー２０は、Ｘ線タルボ撮影の対象である被写体に対して行われた過去の一般撮影で得られた吸収画像Ｉabの情報をＰＡＣＳ等の外部システムやサーバー、コンソール等から入手して、上記の差ΔＳを算出し、対応表Ｌ３（図１０参照）に基づいて、それに対応する、Ｘ線タルボ撮影装置１のＸ線源１１に対するＸ線タルボ撮影時の撮影条件を割り出す。そして、割り出した撮影条件（管電圧、フィルター種、管電流、照射時間（或いは照射ｍＡｓ値））を自動的に設定するように構成される。
【００９２】
このように構成すれば、Ｘ線タルボ撮影の対象である被写体に対して行われた過去の一般撮影の際に得られた吸収画像Ｉabさえあれば、それに基づいて、Ｘ線タルボ撮影装置１のＸ線源１１に対するＸ線タルボ撮影時の撮影条件がコントローラー２０により自動的に割り出される。そのため、放射線技師等の操作者がＸ線タルボ撮影時の撮影条件を試行錯誤しながら設定する必要がなくなり、Ｘ線タルボ撮影装置１でＸ線タルボ撮影を行う際の撮影条件を容易にかつ迅速に設定することが可能となる。
【００９３】
［効果］
以上のように、本実施形態に係るＸ線タルボ撮影装置１やＸ線タルボ撮影システム５０によれば、Ｘ線タルボ撮影の対象である被写体Ｈに対して一般撮影が行われる際の一般撮影に関する情報、すなわち、Ｘ線タルボ撮影の対象である被写体Ｈに対して行われた過去の一般撮影の際に設定された一般撮影時の撮影条件や、Ｘ線タルボ撮影の対象である被写体Ｈに対して行われた過去の一般撮影で得られた吸収画像Ｉab（吸収画像Ｉabから算出される上記の差ΔＳ）に基づいて、Ｘ線タルボ撮影装置１のＸ線源１１に対するＸ線タルボ撮影時の撮影条件が、Ｘ線タルボ撮影装置１のコントローラー２０や外部装置６０によって自動的に割り出される。
【００９４】
そのため、放射線技師等の操作者がＸ線タルボ撮影時の撮影条件を試行錯誤しながら設定する必要がなくなり、Ｘ線タルボ撮影装置１でＸ線タルボ撮影を行う際の撮影条件を容易にかつ迅速に設定することが可能となる。そのため、操作者がＸ線タルボ撮影を行う際の作業負担を軽減することが可能となるとともに、Ｘ線タルボ撮影時の撮影条件の設定に要する時間が短くなり、患者の待ち時間が短くなるため、撮影対象である患者にかかる負担も軽減することが可能となる。
【００９５】
なお、本実施形態では、対応表Ｌ１やＬ３等を作成する際、上記のように、Ｘ線タルボ撮影で撮影されたモアレ画像から再構成された吸収画像の濃淡と、同じ被写体Ｈに対して行った一般撮影で得られた吸収画像Ｉabの濃淡が同じような濃淡になるような撮影条件として、Ｘ線タルボ撮影時の撮影条件を割り出す場合について説明した。
【００９６】
しかし、Ｘ線タルボ撮影装置１には、前述したように、撮影されたモアレ画像から再構成された微分位相画像Ｉdp（図１１参照）中に関節部の軟骨（図１１中の矢印参照）を写すことが可能であるという非常に優れた特徴を有している。そこで、上記のように構成する代わりに、例えば、対応表Ｌ１やＬ３等を作成する際に、被写体Ｈに対して行った一般撮影の際に設定された一般撮影時の撮影条件や差ΔＳに、同じ被写体Ｈの微分位相画像Ｉdp中に関節部の軟骨を写すことができるＸ線タルボ撮影時の撮影条件を対応付けるように構成することも可能である。なお、このようにして作成した対応表Ｌ１等が、結局、図４等に示した対応表Ｌ１等と同じになる場合もある。
【００９７】
このように構成すれば、上記の効果を奏することが可能となるとともに、Ｘ線タルボ撮影装置１で撮影されたモアレ画像から再構成された微分位相画像Ｉdp中に、被写体Ｈである患者の関節部の軟骨を的確に写し出すことが可能となるといった効果が得られる。
【００９８】
［応用例］
また、ある被写体Ｈに対してＸ線タルボ撮影やスカウト撮影を行った場合、次回のＸ線タルボ撮影やスカウト撮影の際には、上記のように過去の一般撮影時の撮影条件等に基づいてＸ線タルボ撮影時の撮影条件やスカウト撮影時の撮影条件等を設定する代わりに、前回や過去のＸ線タルボ撮影時の撮影条件等をそのまま設定することができる。
【００９９】
しかし、例えば、Ｘ線源１１の管球が別のタイプの管球に変更されたり、ろ過フィルター１３を構成するフィルターの種類や数が変更されたり、線源格子１２や第１格子１５、第２格子１６の厚みやスリットの間隔等が変更されたり、或いはＸ線検出器１７が変更されて感度が変わる等すると（すなわちＸ線タルボ撮影装置１の仕様や性能等が変更されると）、過去のＸ線タルボ撮影時の撮影条件やスカウト撮影時の撮影条件をそのまま用いることができなくなる場合がある。
【０１００】
そこで、図示を省略するが、そのような場合には、本実施形態で説明したＸ線タルボ撮影時の撮影条件の設定の仕方を応用して、Ｘ線タルボ撮影装置１の仕様が変更される前のＸ線タルボ撮影時の撮影条件と、変更後のＸ線タルボ撮影時の撮影条件とを予め対応付けて対応表を作成しておく。そして、コントローラー２０（或いはＸ線タルボ撮影システム５０（図３参照）の場合は外部装置６０）は、これから行われるＸ線タルボ撮影の対象である被写体Ｈ（患者および撮影部位）に対する変更前のＸ線タルボ撮影時の撮影条件をＰＡＣＳ等の外部システムやサーバー、コンソール等から入手する。そして、対応表に基づいて、変更前のＸ線タルボ撮影時の撮影条件から変更後のＸ線タルボ撮影時の撮影条件を自動的に割り出して設定するように構成することが可能である。
【０１０１】
なお、変更前のスカウト撮影時の撮影条件から変更後のＸ線タルボ撮影時の撮影条件を割り出したり、変更前のＸ線タルボ撮影時の撮影条件から変更後のスカウト撮影時の撮影条件を割り出したり、或いは変更前のスカウト撮影時の撮影条件から変更後のスカウト撮影時の撮影条件を割り出すように構成することも可能である。
【０１０２】
このように構成すれば、Ｘ線タルボ撮影装置１の仕様や性能等が変更された場合でも、Ｘ線タルボ撮影装置１のコントローラー２０や外部装置６０が、変更前のＸ線タルボ撮影時の撮影条件やスカウト撮影時の撮影条件に基づいて、変更後のＸ線タルボ撮影時の撮影条件やスカウト撮影時の撮影条件を自動的に割り出して設定することが可能となる。
【０１０３】
そのため、Ｘ線タルボ撮影装置１の仕様や性能等が変更された場合に、放射線技師等の操作者がＸ線タルボ撮影時の撮影条件を試行錯誤しながら改めて設定し直す必要がなくなり、Ｘ線タルボ撮影装置１でＸ線タルボ撮影を行う際の撮影条件を容易にかつ迅速に設定することが可能となる。
【０１０４】
［変形例］
なお、上記の応用例において、例えば図１２に示すように、Ｘ線タルボ撮影を行うごとに、被写体ＩＤや撮影部位（体格）、撮影日時、Ｘ線タルボ撮影時の撮影条件、スカウト撮影時の撮影条件等を記録しておけば、患者ごとに撮影条件をより詳細に管理することが可能となる。
【０１０５】
［コントローラーやコンソール上での再構成画像の表示の仕方等について］
ところで、前述したように、Ｘ線タルボ撮影装置１の線源格子１２や第１格子１５、第２格子１６（図１等参照）には、ｙ方向に所定の周期で図示しない複数のスリットが配列されて形成されている。そして、例えば手指や足等の関節部のＸ線タルボ撮影を行う場合には、例えば図１３（Ａ）、（Ｂ）に示すように、手等をスリットｓの延在方向（ｘ方向）に直交するｙ方向に向くように被写体台１４上に載置する。なお、図１３（Ａ）、（Ｂ）ではスリットｓが１本しか記載されていないが、実際には上記のように複数のスリットｓがｙ方向に所定の周期で配列されている。
【０１０６】
そして、このように被写体台１４上に手や足等がｙ方向に向くように載置されてＸ線タルボ撮影が行われるため、撮影されたモアレ画像から再構成された吸収画像Ｉabや微分位相画像Ｉdp等の再構成画像は、図９や図１１に示したように骨が左右方向に向いた画像になる。しかし、手等を図１３（Ａ）に示したように載置した場合と図１３（Ｂ）に示したように載置した場合とで、手等の向きは反対向きであるにもかかわらず、再構成画像は似たような画像になる。
【０１０７】
すなわち、例えば、被写体台１４上に手を図１３（Ａ）に示したように載置して撮影されたモアレ画像から再構成された再構成画像は図９や図１１に示したような画像になる。そして、図示を省略するが、被写体台１４上に手を図１３（Ｂ）に示したように載置して撮影されたモアレ画像から再構成された再構成画像は、図９や図１１に示した再構成画像を１８０°回転させた画像になるが、図９や図１１に示した再構成画像と同様に骨が左右方向に向いた画像になる。そのため、図９や図１１に示した再構成画像を一目見ただけでは、再構成画像が手を図１３（Ａ）と図１３（Ｂ）のいずれのように載置して撮影されたものかを判別しづらくなり、手の向きを勘違いして判別してしまう可能性がある。
【０１０８】
そこで、コンソールやコントローラー２０上で再構成画像を表示する際、例えば図１４に示すように、被写体Ｈが手指である場合には、画像中に被写体Ｈを指先が上側、手首側が下側になるように表示するように構成することが可能である。また、例えば被写体Ｈが膝である場合には、大腿骨が上側、足首側が下側になるように表示するように決める。このように構成すれば、例えば図１４に示すように手指の関節部が表示された場合、必ず上側が指先側になるため、画像中に撮影された手等の向きを勘違いすることなく正しく判別することが可能となる。
【０１０９】
そして、コンソールやコントローラー２０が上記の表示処理を自動的に行うことができるようにするために、例えば、図１３（Ａ）のように被写体台１４上に手を載置した場合には、生成された再構成画像のヘッダーに載置方向として０°と書き込み、また、図１３（Ｂ）のように被写体台１４上に手を載置した場合には、生成された再構成画像のヘッダーに載置方向として１８０°と書き込む。そして、コンソールやコントローラー２０は、再構成画像を表示する際、それらのヘッダーに書き込まれている載置方向の情報を参照し、
載置方向が０°であれば再構成画像を左回りに９０°回転させて表示し（図９および図１４参照）、載置方向が１８０°であれば再構成画像を右回りに９０°回転させて表示する。
【０１１０】
被写体Ｈが膝の場合も同様に、例えば再構成画像のヘッダーに載置方向を書き込み、コンソールやコントローラー２０が載置方向の情報を参照して再構成画像を左回り或いは右回りに９０°回転させて表示する。このように構成することで、手指や膝等の関節部が決められた方向を向くように再構成画像を表示することが可能となる。
【０１１１】
また、上記のように、Ｘ線タルボ撮影装置１の線源格子１２や第１格子１５、第２格子１６のサイズ等が変更されたり、Ｘ線検出器１７が別の種類のＸ線検出器に変更される等すると、再構成画像中に写っている同じ関節部の画像中での大きさが変わる場合がある。すなわち、例えば図１５に示すように、変更前に生成されていた再構成画像ＩＡに比べて、変更後に生成された再構成画像ＩＢでは、画像中に写っている関節部の画像中での大きさが例えば小さくなる場合がある。
【０１１２】
そこで、このような場合には、図１６に示すように、変更前の再構成画像ＩＡと変更後の再構成画像ＩＢをそれぞれ骨の部分とそれ以外の部分とで２値化した画像を作成し、画像ＩＡ、ＩＢについてそれぞれ骨幅の最大値ａ、ｂを割り出す。そして、図１７に示すように、再構成画像ＩＢをａ／ｂ倍して表示するように構成することが可能である。
【０１１３】
このように構成することで、Ｘ線タルボ撮影装置１の線源格子１２や第１格子１５、第２格子１６のサイズ変更や、Ｘ線検出器１７の別の種類のＸ線検出器への変更等があった場合でも、変更後に生成された再構成画像ＩＢの倍率を変更（ａ／ｂ倍）して表示することで、変更後に生成された再構成画像ＩＢに写っている関節部を、変更前に生成されていた再構成画像ＩＡに写っている関節部と同じ程度の大きさで表示することが可能となる。そのため、変更前後に生成された再構成画像ＩＡ、ＩＢに写っている関節部同士を見比べ易くなる。
【０１１４】
また、上記のように、変更前後に生成された再構成画像ＩＡ、ＩＢに写っている関節部同士の大きさを同程度とすることが可能となるとしても、変更前後の再構成画像ＩＡ、ＩＢの画像全体の大きさが図１７に示したように異なる場合、再構成画像ＩＡ、ＩＢを見る者が違和感を覚える場合があり得る。そこで、そのような場合には、図１８に示すように、変更後の再構成画像ＩＢを、変更前の再構成画像ＩＡの大きさにあわせてトリミングして表示するように構成することも可能である。
【０１１５】
なお、図１５〜図１８に示した例では、変更後の再構成画像ＩＢに写っている関節部の大きさが、変更前の再構成画像ＩＡに写っている関節部よりも小さく写るようになる場合が示されているが、図示を省略するが、変更後の再構成画像ＩＢに写っている関節部の大きさが、変更前の再構成画像ＩＡに写っている関節部よりも大きく写るようになる場合もあり得る。
【０１１６】
そのような場合に、上記のようにして変更後の再構成画像ＩＢの倍率を変更（ａ／ｂ倍）して表示すると、図１７に示した場合とは逆に、変更後の再構成画像ＩＢ全体の大きさが変更前の再構成画像ＩＡ全体の大きさよりも小さくなる。
【０１１７】
そして、このような場合に、変更後の再構成画像ＩＢを、変更前の再構成画像ＩＡの大きさにあわせて表示するために、例えば、変更後の再構成画像ＩＢの周囲に、骨以外が撮影されている部分の画素値の平均値（最大値や最小値等でもよい。）の画素値を付け足して変更後の再構成画像ＩＢの大きさを変更前の再構成画像ＩＡの大きさにあわせるようにして表示するように構成することが可能である。
【０１１８】
なお、本発明が上記の実施形態等に限定されず、本発明の趣旨を逸脱しない限り、適宜変更可能であることは言うまでもない。
【符号の説明】
【０１１９】
１  Ｘ線タルボ撮影装置
１１  Ｘ線源
１２  線源格子（複数の格子）
１５  第１格子（複数の格子）
１６  第２格子（複数の格子）
１７  Ｘ線検出器
２０  コントローラー
５０  Ｘ線タルボ撮影システム
６０  外部装置（装置）
Ｈ  被写体
Ｉab  吸収画像
Ｌ１  対応表
Ｌ３  対応表
Ｓα、Ｓβ  Ｓ値（信号値）
ΔＳ  差
【図１】
2016150173.tif 000003
【図２】
2016150173.tif 000004
【図３】
2016150173.tif 000005
【図４】
2016150173.tif 000006
【図５】
2016150173.tif 000007
【図６】
2016150173.tif 000008
【図７】
2016150173.tif 000009
【図８】
2016150173.tif 000010
【図１０】
2016150173.tif 000011
【図１２】
2016150173.tif 000012
【図１３】
2016150173.tif 000013
【図１５】
2016150173.tif 000014
【図１６】
2016150173.tif 000015
【図１７】
2016150173.tif 000016
【図１８】
2016150173.tif 000017
【図９】
2016150173.tif 000018
【図１１】
2016150173.tif 000019
【図１４】
2016150173.tif 000020